(57)【特許請求の範囲】
【請求項１】
他の機器と直接、無線通信する機能を有する携帯電話機に対してハンズフリー通話を提供するハンズフリー装置であって、
携帯電話機と無線通信を行う無線通信手段と、
携帯電話機のユーザインターフェースとして機能し得るユーザインターフェースと、
無線通信を介して、携帯電話機から着信があったことを通知する着信通知を受け取った後、発信者に関する通知としての電話番号通知を受け取る前において、動作モードを前記ユーザインターフェースが携帯電話機のユーザインターフェースとして機能するハンズフリーモードへ移行させるハンズフリーモード移行手段と、
前記着信通知を受け取った後、前記電話番号通知を受け取る前において、携帯電話機へ自動的に留守電転送不可要求を送出することによって、携帯電話機への着信が留守番センタへ転送されることを阻止する留守電転送不可要求送出手段とを具備するハンズフリー装置。
【請求項２】
前記無線通信は近距離無線通信である請求項１記載のハンズフリー装置。
【請求項３】
前記無線通信手段および前記留守電転送不可要求送出手段を有するハンズフリーユニットと、
該ハンズフリーユニットに接続され、前記ハンズフリーモード移行手段およびユーザインターフェースを有するメインユニットとで構成される請求項１記載のハンズフリー装置。
【請求項４】
前記メインユニットは、前記ハンズフリーモードに移行する際、ナビゲーションシステムからの情報に基いて所定時間経過後に通話不能となることが予想される時に、自動的に携帯電話機を保留状態とするための信号を前記ハンズフリーユニットを介して前記携帯電話機へ送出する手段を有する請求項３記載のハンズフリー装置。
【発明の詳細な説明】
【技術分野】
【０００１】
本発明は、無線通信、特にＢｌｕｅｔｏｏｔｈ（商標）などの近距離無線通信で携帯電話機と通信することにより携帯電話機に対してハンズフリー通話を提供するハンズフリー装置に関する。
【背景技術】
【０００２】
下記特許文献１には、パーソナルコンピュータ（ＰＣ）とヘッドセットを携帯電話機に近距離無線通信で接続し、ＰＣの画面とヘッドセットを用いてハンズフリー通話を実現することが記載されている。また、下記特許文献２には自動車電話と携帯電話機との間で近距離無線通信を行うことによりハンズフリー通話を実現することが記載されている。
【０００３】
タッチスイッチまたはキースイッチ、表示器、マイク、スピーカといったユーザインターフェースを備えた車載オーディオ機器或いはカーナビゲーション装置についても、近距離無線通信機能を追加してハンズフリー通話を実現することが可能である。この場合に、着信のあった携帯電話機からハンズフリー装置へ着信通知および発信者に関する電話番号通知が転送されハンズフリー装置の表示器に着信表示がされるまでに時間がかかると、留守番センタへ転送されてしまうという問題がある。すなわち、ハンズフリー装置としての車載オーディオ機器に電源が投入されているということは、ユーザがそこに居ることを意味しているにもかかわらず、応答の遅れにより留守番センタへ転送されるのは問題である。
【０００４】
【特許文献１】特開２００３−２８３６９３号公報
【特許文献２】特開２００３−１８９３７０号公報
【発明の開示】
【発明が解決しようとする課題】
【０００５】
したがって本発明の目的は、携帯電話機に着信があってからハンズフリー装置の表示器に着信表示されるまでに時間がかかっても留守番センタへの転送を防止することのできるハンズフリー装置を提供することにある。
【課題を解決するための手段】
【０００６】
本発明によれば、他の機器と直接、無線通信する機能を有する携帯電話機に対してハンズフリー通話を提供するハンズフリー装置であって、携帯電話機と無線通信を行う無線通信手段と、携帯電話機のユーザインターフェースとして機能し得るユーザインターフェースと、近距離無線通信を介して、携帯電話機から着信があったことを通知する着信通知を受け取った後、発信者に関する通知としての電話番号通知を受け取る前において、動作モードを前記ユーザインターフェースが携帯電話機のユーザインターフェースとして機能するハンズフリーモードへ移行させるハンズフリーモード移行手段とを具備するハンズフリー装置が提供される。
前述の無線通信は例えば近距離無線通信である。
【０００７】
この装置は、前記着信通知を受け取った後、前記電話番号通知を受け取る前において、携帯電話機へ自動的に留守電転送不可要求を送出することによって、携帯電話機への着信が留守番センタへ転送されることを阻止する留守電転送不可要求送出手段をさらに具備することが好ましい。
【発明の効果】
【０００８】
着信通知を受け取ったら、電話番号通知を受け取る前にハンズフリーモードへ移行して着信表示することにより、応答（オフフック）、保留などの操作を即座に行うことができ、留守番センタへの転送を回避することができる。
【０００９】
さらに、着信通知を受け取った際に、携帯電話機へ自動的に留守電転送不可要求を送出することにより、留守番センタへの転送を確実に防止することができる。
【発明を実施するための最良の形態】
【００１０】
図１は本発明の一実施形態に係るハンズフリー装置の構成の一例を示すブロック図である。図１に示したハンズフリー装置は、携帯電話機１０との近距離無線通信のためのアンテナモジュール１２を有し近距離無線通信信号のエンコード、デコードおよびリンク確立機能を有するハンズフリーユニット１４と、ハンズフリーユニット１４に通信線１３，１５を介して接続され、マイク１６、スピーカ１８、スイッチ１９、および表示部２０からなるユーザインターフェースを備えたメインユニット２２から構成される。
【００１１】
ハンズフリーユニット１４は、ＣＰＵ２４の前述のエンコード、デコードおよびリンク確立動作のためのプログラムおよびデータを格納するメモリ２６および入出力インターフェース２８を備える。メインユニット２２はさらに、ＣＰＵ３０の動作のためのプログラムおよびデータを格納するメモリ３２と、シリアルインターフェース３４と、音声インターフェース３６とコーデック３８を有する。ハンズフリーユニット１４とメインユニット２２の間の制御信号のやり取りはハンズフリーユニット１４の入出力インターフェース２８とメインユニット２２のシリアルインターフェース３４の間の通信線１３を介して行なわれ、音声データのやり取りは入出力インターフェース２８と音声インターフェース３６の間の通信線１５を介して行なわれる。
【００１２】
メインユニット２２は例えばさらにＣＤプレイヤーおよびチューナ（図示せず）などを備えた車載オーディオ機器であり、オーディオ機器としての動作モードに加えて、携帯電話機１０のハンズフリー通話を実現するハンズフリーモードを有している。ハンズフリーモードにおいては、携帯電話機１０のアンテナにおいて受信された下り音声信号は、アンテナモジュール１２、ハンズフリーユニット１４、メインユニット２２の音声インターフェース３６を経てコーデック３８においてデコードされてスピーカ１８を鳴動させる。上り音声については、メインユニット２２のマイク１６を経てコーデック３８において符号化され、音声インターフェース３６、ハンズフリーユニット１４、アンテナモジュール１２を経て携帯電話機１０のアンテナから送信される。メインユニット２２の表示部２０は着信表示などを表示する表示器となり、スイッチ１９は応答（オフフック）などの操作のためのスイッチであり、タッチスイッチやキースイッチ等で構成したものである。
【００１３】
図２は本発明の第１の実施形態における制御シーケンスの一例を示す。前提として携帯電話機１０とハンズフリーユニット１４との間で近距離無線通信のリンクが確立されており、携帯電話機１０とハンズフリーユニット１４の間でいつでも通信可能な状態となっている。携帯電話機１０に着信があると（ステップ１０００）、まず着信があったことを示す「着信通知」が送られ（ステップ１００２）ハンズフリーユニット１４はそれをメインユニット２２へ転送する（ステップ１００４）。メインユニット２２では、着信通知に続けて送られる電話番号通知を待つことなく直ちにハンズフリーモードに入る（ステップ１００６）。ハンズフリーモードにおいては、表示器２０に着信があった旨が表示され、スイッチ１９を押すことにより応答することができる。その後、携帯電話機１０から、発信者の電話番号に関する通知である電話番号通知（非通知である場合はその旨の通知を含む）が送られてきたら（ステップ１００８）、ハンズフリーユニット１４はそれをメインユニット２２へ転送する（ステップ１０１０）。これにより表示器２０には発信者に関する情報が表示される。
【００１４】
図３は本発明の第２の実施形態における制御シーケンスの一例を示す。図３のシーケンスにおいては、ステップ１００２でハンズフリーユニット１４が着信通知を受け取ったらそれをメインユニット２２へ転送するとともに（ステップ１００４）、携帯電話機１０に対して留守電転送不可要求を送出する（ステップ１００３）。これにより、留守番センタへの転送を確実に阻止することができる。その他の点は図２のシーケンスと同様である。
【００１５】
ハンズフリーモードに移行した後においては、表示器２０に着信があったことが表示され、その後電話番号通知を受け取って（ステップ１００８，１０１０）表示器２０に発信者の情報が表示される前であっても、ユーザはスイッチ１９を押して応答（オフフック）することも、着信拒否をすることも、図４に示すように、保留にすることもできる。すなわち図４において、ハンズフリーモードに移行（ステップ１００６）した直後に保留の操作が行なわれると、保留指示がメインユニット２２からハンズフリーユニット１４を経て携帯電話機１０へ転送されて（ステップ１０１２，１０１４）保留状態（発信者へ保留状態である旨のメッセージが送られる）となり、その後、電話番号通知が転送されて（ステップ１００８，１０１０）、表示器２０に発信者に関する情報が表示されることになる。応答（オフフック）の場合も同様である。着信拒否の場合は、図５に示すように着信拒否応答を待ってハンズフリーモードに入る前の動作モードに戻る。
【００１６】
カーナビゲーションシステムが塔載されている場合には、自車の周辺の地理的情報を得ることができる。そこで、例えばこの地理的情報と車速の情報とから、所定時間後にトンネルに入る等して通話不能になることが予測される時に着信があれば、ユーザの操作によらず自動的に保留状態（図４）とすることもできる。
【００１７】
これまでに説明したハンズフリーユニット１４およびメインユニット２２の制御シーケンスは、それぞれのユニットのメモリ２６，３２に記憶された、それぞれのユニットのＣＰＵ２４，３０の動作をプログラムしたソフトウェアにより実現することができる。
【図面の簡単な説明】
【００１８】
【図１】本発明のハンズフリー装置の構成の一例を示すブロック図である。
【図２】本発明の第１の実施形態における制御シーケンスの一例を示す図である。
【図３】本発明の第２の実施形態における制御シーケンスの一例を示す図である。
【図４】保留の操作が行なわれたときの制御シーケンスを示す図である。
【図５】着信拒否の操作が行なわれたときの制御シーケンスを示す図である。
【図１】
0004671846.tif 000002
【図２】
0004671846.tif 000003
【図３】
0004671846.tif 000004
【図４】
0004671846.tif 000005
【図５】
0004671846.tif 000006